(57)【要約】認証サーバ４は、認証端末３を通じてユーザの識別情報とともに、サービス要求を受け付けたときには、認証サーバ側で使用する通信設備に割り当てている発信用アドレスを用いて認証コードを発行し、その識別情報に対応したワイヤレス携帯端末２を呼び出して送信させるとともに、送信した認証コードに有効期限の情報を付加して記録する一方、ユーザから、認証端末３を通じて認証コードを受け付けたときには、該認証コードの一致とその有効期限とを判別して、認証コードが一致し、かつ有効期限内であれば、サービス装置１の使用を許可する。
2009011436.tif 000002
【特許請求の範囲】
【請求項１】
ワイヤレス携帯端末を有したユーザから、認証端末を通じて、少なくともユーザの識別情報と、認証コードとを認証サーバに送信し、認証サーバで認証を確認したときに、ユーザ側に設置したサービス装置の使用を許可する個人認証システムであって、
前記認証サーバは、
ユーザの識別情報と、それに対応させてユーザのワイヤレス携帯端末の通信アドレスとを少なくとも保存したユーザ登録手段と、
ユーザの識別情報とユーザに発行された認証コードとを照合する認証制御手段とを少なくとも備えるとともに、
ユーザのワイヤレス携帯端末を呼び出して、認証コードを送信する無線通信基地局に接続されており、
ユーザから、前記認証端末を通じてユーザの識別情報とともに、サービス要求を受け付けたときには、前記ユーザ登録手段を参照し、そのユーザのワイヤレス携帯端末の通信アドレスを読み出して、前記無線通信基地局を通じて、読み出した通信アドレスのワイヤレス携帯端末を呼び出して、予め特定されたルールに従って、発信用アドレスを用いた認証コードを発行し送信させるとともに、送信した認証コードに有効期限の情報を付加して前記ユーザ登録手段に記録する一方、
前記ユーザから、前記認証端末を通じて前記認証コードを受け付けたときには、該認証コードの一致とその有効期限とを判別して、認証コードが一致し、かつ有効期限内であると確認されたときのみ、前記認証端末に許可信号を送出して、前記サービス装置の使用を許可するようにしたワイヤレス携帯端末を用いた個人認証システム。
【請求項２】
請求項１において、
前記認証サーバは、予め準備した複数の発信用アドレスのうちからランダムに選択して、前記無線通信基地局を通じて前記ワイヤレス携帯端末を呼び出し、
その選択した発信アドレスの所定部分を前記認証コードとして発行することを特徴とした個人認証システム。
【請求項３】
請求項１において、
前記ワイヤレス携帯端末は、携帯電話機であり、かつ
前記認証サーバは、公衆回線用の複数の発信器のうちからランダムに選択された発信器を作動して、前記無線通信基地局を通じて前記ワイヤレス携帯端末を呼び出し、
前記認証コードは、前記発信器に固有の発信者番号の全部または一部を前記認証コードとして発行することを特徴とした個人認証システム。
【請求項４】
請求項３において、
前記発信器は、公衆回線用の固定電話機、公衆回線用のモデム、IP電話機の種別のうちから選択された少なくとも1種以上のもので構成されていることを特徴とした個人認証システム。
【請求項５】
ワイヤレス携帯端末を有したユーザから、認証端末を通じて、少なくともユーザの識別情報と、認証コードとを認証サーバに送信し、認証サーバで認証を確認したときに、ユーザ側に設置したサービス装置の使用を許可する個人認証システムであって、
前記認証サーバは、
ユーザの識別情報と、それに対応したユーザの携帯端末の固有識別番号を含んでいない第１の電子メールアドレス、同じユーザの携帯端末の固有識別番号を含んだ第２の電子メールアドレスとを少なくとも保存したユーザ登録手段と、
ユーザの識別情報とユーザに発行された認証コードとを照合する認証制御手段とを少なくとも備えるとともに、
ユーザのワイヤレス携帯端末を呼び出して、認証コードを送信する無線通信基地局に接続されており、
ユーザから、前記認証端末を通じてユーザの識別情報とともに、サービス要求を受け付けたときには、前記ユーザ登録手段を参照して、そのユーザの第１の電子メールアドレスを読み出してから、前記無線通信基地局を通じて、読み出した第１の電子メールアドレスのワイヤレス携帯端末を呼び出し、認証コードの発行通知を行って、所定の判別基準に基づいて、返信の有無を確認して、不正な受信の有無を判別し、
不正な受信があったと判断したときには、その後の処理を中断する一方、
不正な受信がなかったと判断したときには前記第２の電子メールアドレスを用いて、同じユーザのワイヤレス携帯端末に、認証コードを含ませた電子メール発信元アドレスを送信するとともに、送信した認証コードに有効期限の情報を付加して前記ユーザ登録手段に記録し、
前記ユーザから、前記認証端末を通じて前記認証コードを受け付けたときには、該認証コードの一致とその有効期限とを判別して、認証コードが一致し、かつ有効期限内であると確認されたときのみ、前記認証端末に許可信号を送出して、前記サービス装置の使用を許可するようにしたワイヤレス携帯端末を用いた個人認証システム。
【請求項６】
請求項１〜５のいずれかにおいて、
前記サービス装置の利用履歴を管理する管理装置を更に備え、
前記認証端末は、前記サービス装置の利用を許可したときには、利用を許可したことを前記識別情報と共に前記管理装置に通知して、前記利用履歴を前記データベースに記憶し蓄積することを特徴とした個人認証システム。
【請求項７】
請求項６において、
上記認証端末は、固有の端末番号が割り当てられ、上記通知の際に、割り当てられている端末番号を前記管理装置に通知することを特徴とした個人認証システム。
【請求項８】
請求項６において、
前記管理装置は、前記利用履歴に基づいて、前記サービス装置の利用に対する課金情報を算出することを特徴とした個人認証システム。
【請求項９】
請求項１〜８のいずれかにおいて、
前記ワイヤレス携帯端末は、ユーザに貸与されるものであって、前記識別情報として用いられる端末コードが付記されていることを特徴とした個人認証システム。
【請求項１０】
請求項１〜８のいずれかにおいて、
前記認証端末は、前記識別情報を記憶した識別カードより、前記識別情報を読み取る読取手段を備えていることを特徴とした個人認証システム。
【請求項１１】
請求項１０において、
前記識別カードまたは読取手段は、生体認証手段を備えていることを特徴とした個人認証システム。
【請求項１２】
請求項６〜１１のいずれかにおいて、
前記ワイヤレス携帯端末は、ユーザに貸与されるものであって、前記識別情報として用いられる端末コードが付記されており、
前記管理装置は、ユーザを生体認証する生体認証手段を備え、ユーザに貸与されたワイヤレス携帯端末の端末コードを、そのユーザの生体認証データに対応させて前記データベースに記憶することを特徴とした個人認証システム。
【請求項１３】
請求項１〜１２のいずれかにおいて、
前記サービス装置は、その複数台が店舗に設置され、ユーザが自由に選択して使用する設備機器であり、前記認証端末は、前記設備機器の各々に設けられた料金徴収装置として構成されていることを特徴とした個人認証システム。
【発明の詳細な説明】
【技術分野】
【０００１】
本発明は、認証端末を通じて認証サーバによって個人認証するシステムに関し、特に、ユーザが所持するワイヤレス携帯端末に送信する認証コードに、認証サーバ側で使用する通信機器の発信用アドレスを用いた、新規な発想に基づく個人認証システムを提供するものである。
【背景技術】
【０００２】
従来、現金支払機等においては、不特定多数の者を個人認証しなければならないので、そこに用いられる個人認証システムは、個人認証するための識別情報や認証コード等を操作入力するための認証端末と、それらの情報を集約して管理する認証サーバとを組み合わせた構成とされている。【０００３】
また、次の特許文献１には、認証サーバ（セキュリティサーバ）、認証端末（表示装置、操作パネル）に加えて、携帯端末を用いた個人認証システムが開示されている。この個人認証システムは、車両のユーザを認証する個人認証システムであって、予め個人情報データベースに登録してある携帯端末の発信履歴の電話番号を個人認識情報に用いて、セキュリティサーバが、個人認証質問を送信し、表示装置は、セキュリティサーバが送信した個人認証質問である個人認証情報を表示して、操作パネルを用いてユーザに選択された個人認証情報を個人認証質問の回答としてセキュリティサーバに送信する。そして、セキュリティサーバは、個人認証質問の回答が正しい場合に、車両のエンジンへの給電を可能にする制御通知である使用許可制御を送信することが記載されている。
【特許文献１】特開2004-306821公報
【発明の開示】
【発明が解決しようとする課題】
【０００４】
しかし、現金支払機等での個人認証システムでは、認証端末がＩＣカードの読取器やデコーダ等を必要とする複雑なものになり、カード自体も高価なため、システムを新規に構築しようとすると膨大なコストがかかる問題がある。【０００５】
また、特許文献１の個人認証システムは、携帯電話の発信履歴等に関する質問情報をセキュリティサーバから受信して表示パネルに表示し、その回答を操作パネルで受け付けてセキュリティサーバに送信して個人認証する仕組みで、発信履歴が変化すれば質問内容やその回答が変化するため、ワンタイムパスワードを用いたシステムと同等のセキュリティが保たれるという利点がある。しかしながら、この個人認証システムも、表示パネルは質問情報を表示する必要があるため、その構成が複雑である。また、セキュリティサーバが携帯電話の発信履歴を適時取得する必要があるので、携帯電話事業者か、携帯電話事業者と提携した者でなければ個人認証システムを運営できないという問題がある。
【課題を解決するための手段】
【０００６】
本発明は、以上の事情に鑑みて提案され、ユーザが所持しているワイヤレス携帯端末に対して、簡易でかつセキュリティーの高い方法で作成した認証コードが発行できる、個人認証システムを提案することを目的としている。  
したがって、このような本発明の個人認証システムは、ユーザが所持するワイヤレス携帯端末に認証サーバ側から認証コードを送信するシステムにおいて、特に、認証サーバ側で発行する認証コードに、認証サーバ側で使用している通信設備の発信用アドレスを用いた点で新規であり、この特徴が、特別な技術的事項として、提案するすべての請求項について共通になっている。【０００７】
また、本発明システムにおいて使用可能な発信元アドレスには、公衆回線に用いる発信器、モデム、加入電話機の固有識別番号、ＩＰ電話機、電子メールのアドレス、ＩＰアドレスなど、すべての通信発信装置に割り当てられ、送信先に通知できる番号、コードを含む。【０００８】
以下、本発明の特徴を、請求項に基づいて要約する。
請求項１
ワイヤレス携帯端末を有したユーザから、認証端末を通じて、少なくともユーザの識別情報と、認証コードとを認証サーバに送信し、認証サーバで認証を確認したときに、ユーザ側に設置したサービス装置の使用を許可する個人認証システムである。
前記認証サーバは、ユーザの識別情報と、それに対応させてユーザのワイヤレス携帯端末の通信アドレスとを少なくとも保存したユーザ登録手段と、ユーザの識別情報とユーザに発行された認証コードとを照合する認証制御手段とを少なくとも備えている。
認証サーバは、ユーザのワイヤレス携帯端末を呼び出して、認証コードを送信する無線通信基地局に接続されており、ユーザから、前記認証端末を通じてユーザの識別情報とともに、サービス要求を受け付けたときには、前記ユーザ登録手段を参照して、そのユーザのワイヤレス携帯端末の通信アドレスを読み出してから、前記無線通信基地局を通じて、読み出した通信アドレスのワイヤレス携帯端末を呼び出して、予め特定されたルールに従って、発信用アドレスを用いた認証コードを発行し送信させるとともに、送信した認証コードに有効期限の情報を付加して前記ユーザ登録手段に記録する一方、前記ユーザから、前記認証端末を通じて前記認証コードを受け付けたときには、該認証コードの一致とその有効期限とを判別して、それらが一致し、かつ有効期限内であると確認されたときのみ、前記認証端末に許可信号を送出して、前記ユーザによる前記サービス装置の使用を許可することを特徴としている。【０００９】
請求項２
請求項１において、前記認証サーバからユーザの携帯端末に送信する認証コードは、予め準備した複数の発信用アドレスのうちからランダムに選択したものが適用され、前記無線通信基地局を通じて前記ワイヤレス携帯端末を呼び出し、そのとき、使用した発信アドレスの所定部分を前記認証コードとしている点を特徴としている。【００１０】
請求項３
請求項１において、前記ワイヤレス携帯端末は、携帯電話機で構成され、かつ前記認証サーバは、公衆回線用に使用される複数の発信器のうちからランダムに選択された発信器を作動し、前記無線通信基地局を通じて前記ワイヤレス携帯端末を呼び出しており、前記認証コードは、ユーザのワイヤレス携帯端末を呼び出した発信器に固有の発信者番号の全部または一部を前記認証コードとしている。
請求項４
請求項３において、
前記発信器は、公衆回線用の固定電話機、公衆回線用のモデム、ＩＰ電話機の種別のうちから選択された少なくとも1種以上のもので構成されていることを特徴としている。
請求項５
このシステムでは、請求項１とは異なり、前記認証サーバは、ユーザの識別情報と、それに対応したユーザの携帯端末の固有識別番号を含んでいない第１の電子メールアドレス、同じユーザの携帯端末の固有識別番号を含んだ第２の電子メールアドレスとを少なくとも保存したユーザ登録手段と、ユーザの識別情報とユーザに発行された認証コードとを照合する認証制御手段とを少なくとも備え、ユーザのワイヤレス携帯端末を呼び出して、認証コードを送信する無線通信基地局に接続されている。
認証サーバは、前記ユーザから、前記認証端末を通じて前記認証コードを受け付けたときには、該認証コードの一致とその有効期限とを判別して、認証コードが一致し、かつ有効期限内であると確認されたときのみ、前記認証端末に許可信号を送出して、前記サービス装置の使用を許可するようにしている。【００１１】
請求項６
請求項１〜５において、サービス装置の利用履歴を管理する管理装置を更に備え、認証端末は、前記サービス装置の利用を許可したときには、利用を許可したことを前記識別情報と共に前記管理装置に通知して、前記利用履歴を前記データベースに記憶し蓄積することを特徴としている。【００１２】
請求項７
請求項６において、認証端末には、固有の端末番号が割り当てられており、上記通知の際に、割り当てられている端末番号を前記管理装置に通知することを特徴としている。
請求項８
請求項６において、前記管理装置は、前記利用履歴に基づいて、前記サービス装置の利用に対する課金情報を算出することを特徴としている。
請求項９
請求項１〜８において、前記ワイヤレス携帯端末は、ユーザに貸与されるものであり、前記識別情報として用いられる端末コードが付記されていることを特徴としている。
請求項１０
請求項１〜８において、前記認証端末は、前記識別情報を記憶した識別カードより、前記識別情報を読み取る読取手段を備えていることを特徴としている。
請求項１１
請求項１０において、前記識別カードまたは読取手段は、生体認証手段を備えている。【００１３】
請求項１２
請求項６〜１１において、前記ワイヤレス携帯端末は、ユーザに貸与されるものであり、前記識別情報として用いられる端末コードが付記されており、前記管理装置は、ユーザを生体認証する生体認証手段を備え、ユーザに貸与されたワイヤレス携帯端末の端末コードを、そのユーザの生体認証データに対応させて前記データベースに記憶することを特徴としている。
請求項１３
請求項１〜１２において、サービス装置は、その複数台が店舗に設置され、ユーザが自由に選択して使用する設備機器であり、前記認証端末は、前記設備機器の各々に設けられた料金徴収装置として構成されていることを特徴としている。
【発明の効果】
【００１４】
本発明システムでは、認証コードとして、認証サーバ側に設けた通信設備の発信用アドレスを用いるので、認証コードを作成するためのソフト処理は不要である。
また、認証端末は、ユーザが操作入力した識別情報や認証コードを認証サーバに送信するとともに、認証サーバが送信した許可信号を受け付けたときに、サービス装置の利用を許可するだけでよいので構成が簡単である。
したがって、個人認証システムの新規構築のためのコストが抑制される。【００１５】
更に、認証サーバは、認証端末から識別情報が送信されてくる都度、予め特定されたルールに従って認証コードに有効期限を付けて発行する仕組みなので、ワンタイムパスワードによるセキュリティ性が確保できる。【００１６】
また、認証コードの通知を受けるワイヤレス携帯端末は、呼び出されたときに、その呼び出し信号に含まれている発信アドレスの一部、例えばメールアドレスの一部を認証コードとして表示する構成であればよいので、既存のシステムで対応可能である。【００１７】
さらに、ワイヤレス携帯端末には、着信した発信者番号を表示する機能を有した既存の携帯電話機や携帯電話の機能を備えた通信端末をそのまま用いることもできるので、特別なワイヤレス携帯端末を用意する必要がない。一般に、携帯電話や携帯端末のワイヤレス通信機能付装置を用いた場合、セキュリティが確保されているので、個人認証システムの信頼性が高くなる。  【００１８】
電子メールを認証コードに用いる構成にしたシステムでは、携帯電話機の電子メールを用いることもできるので、携帯電話機を用いる場合と比べると、コスト面でも有利である。特に、請求項５に記載したシステムでは、ユーザの携帯端末の固有識別番号を含んでいない第１の電子メールで認証コードの前通知を行い、第１の電子メールの返信を確認したときに所定の判断基準に従って不正受信を確認してから、セキュリティー性の高いユーザの携帯端末の固有識別番号を含んだ電子メールアドレスに認証コードを含ませて送信しているので、成りすまし受信に対しても十分なセキュリティーが確保され、簡易でかつ安価な認証システムが提供できる。【００１９】
また、サービス装置の利用を許可する個人認証システムの認証端末に、サービス装置の利用履歴を管理し、課金情報を算出する管理装置を組み合わせた構成のものでは、サービス利用履歴の管理が容易になる。また、このサービスを有料化したときにも課金を自動的に行うことができる。【００２０】
ワイヤレス携帯端末をユーザに貸与する構成にしたものでは、サービス装置を設置した店舗にワイヤレス携帯端末を用意しておけば、ユーザが事前に個人情報等を登録せずとも、貸与したワイヤレス携帯端末によって、個人認証を行うことができる。【００２１】
識別情報を記憶した識別カードによって識別情報を認証端末に入力すれば、認証端末の操作が簡単になる。【００２２】
さらに、管理装置がユーザに貸与されたワイヤレス携帯端末の端末コードを、そのユーザの生体認証データに対応させて記憶する構成としたものでは、貸与時に生体認証を実施すれば、又貸し防止など、貸与したワイヤレス携帯端末とユーザとの対応関係を保証することができる。【００２３】
本発明は、多数の来客があるパチンコ店等に適用すれば、個人認証、サービス装置の利用履歴の管理、課金を自動化するシステムをローコストで構築でき、料金徴収データを容易に取得できる。店舗では、この料金徴収データに従ってユーザから料金を徴収するが、自動引き落とし等のシステムと組み合わせてもよい。
【図面の簡単な説明】
【００２４】
【図１】図１は、本発明に係る個人認証システムの基本構成を説明するブロック図である。
【図２】図２は、（ａ）〜（ｄ）は、個人認証システムに含まれる各装置の概略構成を説明する機能ブロック図である。
【図３】図３（Ａ）はワイヤレス携帯端末に認証コードを送信する場合のユーザ登録手段の登録内容、図３（Ｂ）は加入電話機の固有識別番号を用いて認証コードを通知する場合にユーザの携帯端末機に表示される着信画面の表示例を示している。
【図４】図４は、本発明に係る個人認証システムの基本動作を時系列的に説明するフロー図である。
【図５】図５は、電子メールアドレスを用いて認証コードを送信する場合のユーザ登録手段の登録内容を説明する図である。
【図６】図６（Ａ）、（Ｂ）は電子メールアドレスを用いて認証コードを通知する場合にユーザの携帯端末機に表示される着信画面の表示例を示している。
【符号の説明】
【００２５】
１    サービス装置
２    ワイヤレス携帯端末
３    認証端末
４    認証サーバ
４ｂ  ユーザ登録手段
４ｃ  認証制御手段
４ｄ  発信器
４ｅ  呼出手段
５    無線通信基地局
６    管理装置
６ｃ  生体認証手段
８    識別カード
Ｓ    個人認証システム
Ａ    第１の電子メール
Ｂ    第２の電子メール
【発明を実施するための最良の形態】
【００２６】
以下、本発明の実施例を図に従って説明する。【００２７】
図１は、本発明に係るワイヤレス携帯端末を用いた個人認証システムの基本構成を説明するブロック図である。【００２８】
この個人認証システムＳは、ユーザを個人認証し、認証したユーザに対して、サービス装置１の使用を許可する。
ここに、サービス装置１は、その複数台が店舗に設置され、ユーザが自由に選択して使用する設備機器、例えばパチンコ台等の遊戯装置、手荷物預かり装置等であり、認証端末３は、設備機器の各々に設けられた料金徴収装置として構成される。
個人認証システムＳは、ワイヤレス携帯端末２を有したユーザが、少なくともユーザの識別情報と、認証コードとを操作入力する認証端末３と、ユーザを個人認証する認証サーバ４と、ワイヤレス携帯端末２と無線通信する無線通信基地局５とを備えている。
認証サーバ４と無線通信基地局５とは、インターネットＮ、あるいは通話回線網であるネットワークＭによって接続されている。ネットワークＭには、複数の無線通信基地局５が含まれている。【００２９】
サービス装置１は、店舗屋内でローカルエリアネットワークＬで相互に接続されており、このローカルエリアネットワークＬには、ユーザによるサービス装置１の利用履歴を管理する管理装置６や、インターネットＮに接続したゲートウェイ７が接続されている。【００３０】
図２（ａ）〜図２（ｄ）は、個人認証システムＳに含まれる各装置の概略構成を説明する機能ブロック図である。以下、これらの図に従って、各装置の概略構成を順に説明する。【００３１】
認証端末３は、ユーザが識別情報や認証コードを操作入力する操作手段３ａと、ネットワーク通信するためのネットワーク通信手段３ｂと、サービス装置１の使用を許可する許可手段３ｃと、認証の結果として、許可／不許可を表示する表示手段３ｅとを備えている。ここに、操作手段３ａは、タッチパネル等で構成してもよいが、テンキーとＬＥＤとで構成した単純なものでもよい。なお、操作手段３ａには、ＩＣカードや磁気ストライプカードや１次元コード付カード、２次元コード付カード、指紋認証器などの生体認証器、あるいは無線タグ等の識別カード８に記憶された識別情報を読み取る読取手段３ｄを付加し、この識別カード８を通じて識別情報を入力するようにしてもよい。
ネットワーク通信手段３ｂは、例えばＴＣＰ／ＩＰ、あるいはＬＡＮ、無線ＬＡＮの方式などに従い、通信相手を指定して通信を行う機能を備えている。そのため、自らのＩＰアドレスや、ゲートウェイ７のＩＰアドレス、認証サーバ４のＩＰアドレス等の設定情報を記憶する記憶手段を備えている。
許可手段１３ｃは、電気的あるいは機械的にサービス装置１に接続されており、認証サーバから認証コードを受信したときに、電気信号または機械的な方法、手段によって、サービス装置１の利用を許可する。この認証端末３には、固体識別番号を内蔵させて、通信のたびにそれをチェックさせてもよい。また、認証端末３は、別体として設けた料金徴収装置に接続されていてもよい。【００３２】
ワイヤレス携帯端末２は、無線通信基地局５と無線通信する無線通信手段２ａと、認証サーバ４から受信した認証信号を表示する表示手段２ｂとを備えている。
ワイヤレス携帯端末２は、携帯電話機、ワイヤレス通信機能付ノートパソコン、ＰＤＡ、携帯電話機能を備えた多機能通信端末器などによって構成してもよく、専用機として構成してもよい。【００３３】
認証サーバ４は、認証端末３とネットワーク通信するネットワーク通信手段４ａと、ユーザの識別情報と、それに対応させてユーザのワイヤレス携帯端末の通信アドレスとを少なくとも保存したユーザ登録手段４ｂと、ユーザの識別情報とユーザに発行した認証コードとを照合する認証制御手段４ｃと、固有の識別番号が割り当てられ、無線通信基地局５を通じてワイヤレス携帯端末２を呼び出す複数の発信器４ｄを備えた呼出手段４ｅとを備えている。【００３４】
ユーザ登録手段４ｂは、ユーザの識別情報毎に、ワイヤレス携帯端末２のアドレス情報を対応させて記憶しており、認証コードの発行履歴を管理する。【００３５】
図３（Ａ）は、ユーザ登録手段４ｂが管理する認証コードの発行履歴データベースの登録内容を示している。
ユーザ登録手段４ｂは、認証コードが発行される都度、発行履歴データベースに、ユーザの識別情報、ワイヤレス携帯端末２のアドレス情報、発行した認証コード、有効期限、認証結果等の情報で構成されたレコードを追加する。
そして、認証コードの一致と、有効期限を確認したとき、あるいは定期的なチェックで有効期限が過ぎていることを検知したとき等に、そのレコードの認証結果や有効期限切れ等の情報を更新する。【００３６】
また、認証制御手段４ｃは、ユーザから、認証端末３を通じて識別情報と共にサービス要求を受け付けたときには、ユーザ登録手段４ｂを参照して、そのユーザのワイヤレス携帯端末２の通信アドレスを読み出してから、無線通信基地局５を通じて、読み出した通信アドレスのワイヤレス携帯端末２を呼び出して、予め特定されたルールに従って、後述するような発信用アドレスを用いた認証コードを送信させるとともに、送信した認証コードに有効期限の情報を付加してユーザ登録手段４ｂに記録する。
そして、ユーザから、認証端末３を通じて認証コードを受け付けたときには、該認証コードの一致とその有効期限とを判別し、認証コードが一致し、かつ有効期限内であると確認されたときのみ、認証端末３に許可信号を送出して、ユーザによるサービス装置の使用を許可する基本機能を有する。認証制御手段４ｃに付加された計時手段４ｆは所望の時間を計時し、有効期限の判断のために使用される。【００３７】
呼出手段４ｅは、インターネットＮを介して無線通信基地局５と接続しても、公衆回線等によるネットワークＭを介して無線通信基地局５と接続してもよい。
ワイヤレス携帯端末２として携帯電話機を採用する場合、認証サーバ４側の発信器４ｄとして、それぞれに固有の識別番号が登録されたＩＰ電話又は公衆回線用のモデムを用いれば、発信器に固定電話機を用いる場合に比べて、コスト的にも有利である。
また、ワイヤレス携帯端末２を呼び出すモデムをランダムに選択すれば、選択されたモデムの発信番号を擬似的な乱数と見なすことが出来るので、それらの発信番号（電話番号の全部または一部）を認証コードとしても利用できる。
呼出手段４ｅは、ワイヤレス携帯端末２が応答しなければ、所定の試行回数を限度として、呼び出しを繰り返すが、認証コードは、呼び出し毎に異ならせても、同一のものとしてもよい。なお、ワイヤレス携帯端末２として専用機も用いる場合も、その専用機を呼び出す発信器４ｄに固有の識別番号を割り当てておけば、その識別番号を認証コードとして用いることができる。また別構成として、乱数として認証コードを生成するようにしてもよい。【００３８】
一般に、携帯電話機は着信すると、その着信の発信者電話番号を記憶し着信履歴として表示窓に表示する機能を有しており、発信番号を認証コードとして表示させることが可能なので、ユーザ側の携帯端末や無線通信基地局５には既存の携帯電話機システムを用いることができ、個人認証システムＳの新規構築のためのコストが抑制される。
また、一般的に通話時間が短いほど通話料金が安いので、通話時間を短くすればコストを低減できる。相手が応答する前に回線を切断すれば、着信履歴は残っても、通話料金は掛からない。【００３９】
図３（Ｂ）は、加入電話機の固有識別番号を用いて認証コードを通知する場合にユーザの携帯端末機に表示される着信画面の表示例を示しており、この図では、固有識別番号である「０９０１４８６３５３８」のすべて、あるいは予めルールによって特定されている、その一部分が認証コードとして使用される。【００４０】
また、認証サーバ４は、予め準備した複数の発信用メールアドレスのいずれかを選択して、無線通信基地局５を通じてワイヤレス携帯端末２を呼び出す呼出手段４ｅを備えた構成としてもよい。このとき、認証コードは、ワイヤレス携帯端末２を呼び出す際に選択した発信用メールアドレスの一部分を用いればよい。【００４１】
一例としては、発信用メールアドレスの＠よりも前の部分を任意の数字列として、これを識別番号として用いる。＠より後の部分はドメインとしていくつかの共通したものになるが、フリーメールアドレスや自社ドメインを持てば、任意の数字列としてかなりの数が無料または安価に利用できる。しかし、電子メールを用いる場合にはメーラ等の利用などにより、電話番号等に比べて成りすまし等が容易になるので、その対策が必要になる。【００４２】
これは、個人認証システムＳをホテルの鍵に応用した場合等、認証許容時間が比較的長い応用例で特に問題になる。このような問題を防止する対策としては、例えばメール受信専用サーバでセキュリティのチェックを実行する方法があるが、このような普通のメールアドレスを利用したアプリケーションは比較的セキュリティが低くてもかまわない応用例にその用途を絞っても良い。金融システムなどに応用する場合、携帯電話機による電子決済システムやカメラ付き携帯電話での本人の顔の画像をサーバに転送し、確認する認証システムなどとの組合せにより、このセキュリティはさらに高度なものになる。【００４３】
電子メールを使用する場合の成りすまし防止対策としては、認証サーバ４側に監視サーバ（不図示）を設け、認証サーバ４側からワイヤレス携帯端末２には、認証コードの前通知としての電子メールを送信し、それが返信され、あるいは他のワイヤレス携帯端末に送信される際には、電子メールをＢＣＣで監視サーバにも送信するようにして、監視サーバでＢＣＣの電子メールをカウントしておき、そのカウント数を認証サーバ４側でチェックする。
すなわち、認証サーバ４側では、ワイヤレス携帯端末２に認証コードの前通知となる電子メールを送信してから、所定時間内に、電子メールの返信を確認できた場合に、監視サーバが受信しているＢＣＣの電子メールの回数を確認する。
そして、監視サーバで受信しているＢＢＣの電子メールの数が所定数より多い場合には、その電子メールは、ユーザ本人以外のワイヤレス携帯端末２からも返信を受けているか、ユーザ本人のワイヤレス携帯端末２から他のワイヤレス携帯端末に送信した電子メールが転送され、不正の受信がなされたものとみなして、ワイヤレス携帯端末２に対しては、不正受信の疑いのあることを通知するなどして、以後の処理を中止するが、ＢＣＣとして監視サーバで受信している電子メールの数が所定数である場合には、不正受信の疑いがないとみなして、認証サーバ側で選択した電子メールアドレスを認証コードとして発行して、その電子メールアドレスを含ませた電子メールを再度、ワイヤレス携帯端末に送信する。【００４４】
電子メールで認証コードを通知する場合、請求項５で提案している個人認証システムのような構成にすれば、より成りすまし対策が確実になる。【００４５】
図５は、このシステムに使用されるユーザ登録手段の登録内容を示している。
ユーザ登録手段は、図３（Ａ）の場合とは異なり、ユーザの携帯端末を第１の電子メールＡ、第２の電子メールＢで特定している。【００４６】
ここに、ユーザの携帯端末が携帯電話機である場合を例にすると、第１の電子メールＡはユーザの携帯端末の固有識別番号を含んでいない、ユーザ側で自由に設定することのできる電子メールアドレスが適用され、たとえば、＠の前部分に、ユーザのお気に入りネーミング、ＡＢＣを加え、＠の後部分に、キャリアの識別表示である、＊＊＊．ｃｏｍを加えているが、第２の電子メールＢは、ユーザの携帯端末の固有識別番号を含んだ電子メールアドレスが適用され、たとえば、＠の前部分には、携帯電話機に固有の識別番号である「０９０９８４４６８９９」を加え、＠の後部分には、キャリアの識別表示である＊＊＊．ｃｏｍを加えており、携帯電話機の購入時にデフォルトとして設定されているものが、そのまま使用されている。【００４７】
このようなシステムでは、ユーザから、認証端末３を通じて、ユーザの識別情報とともに、サービス要求を受けると、認証サーバ４側では、第１の電子メールＡを送信して認証コードの前通知を行い、第１の電子メールＡの返信を確認したときに不正受信でないかどうかを、上記した方法などで確認してから、不正受信でないと判断すれば、ユーザの携帯端末の固有識別番号を含んだ第２の電子メールアドレスＢを送信する。この第２の電子メールに付加される発信元アドレスが認証コードを特定するが、認証コードは、発信元アドレスの＠の前部分の全部、あるいは予め規定した一部として含まれている。
ユーザは第１の電子メールＡで認証コードの前通知を受け、その後の所定時間内に、認証サーバ４側から認証コードの送信を中止する通知を受けなかった場合、あるいは不正受信でないことの通知を受けたときには、自らが所持する携帯端末の電子メールアドレスを第２の電子メールアドレスＢに変更して、電子メールの受信を待ち、送信されて来たときには、そこから、予め特定されたルールに従って認証コードを読み出して認証端末３に入力して、サービスの提供を受ける。【００４８】
このような方法によれば、認証サーバ４側では、ユーザ登録手段に保存する情報として、ユーザの携帯端末に対する２つの電子メールアドレスＡ，Ｂを準備する必要があるが、電子メールを利用する際にありがちな、成りすましに対する対策もできるために、手軽で安価に使用できる電子メールを用いての認証コードシステムが実現する。【００４９】
なお、ユーザの携帯端末の通信アドレスとして、セキュリティー性の高い第２の電子メールＢのみをユーザ登録手段に保存し、利用する構成にしてもよく、請求項１は、このような構成も含んでいる。【００５０】
しかしながら、第２の電子メールＢは、携帯電話機を例にとると、購入当初からデフォルト設定されているものであり、ユーザ側では、スパムメールのターゲットにならないようにするために受信拒否の設定に使用されることが多い（＠の前部分に数字が並んでいるため、電子メールの発信元では容易にターゲットにできる）ので、請求項５で提案するシステムでは、そのような場合も想定して、ユーザ側で自由に設定できる第１の電子メールＡで前通知してから、第２の電子メールＢによって、認証コードを通知している。【００５１】
なお、第１の電子メールＡに通知する際、発信用メールアドレスは、アドレスの頭に例えばＴ（テンタティブ：仮の）などの文字をつけ、第２の電子メールと異なり、正式な認証コードではないことが簡単にわかるようにしてもいい。【００５２】
図６（Ａ）は、ユーザの携帯端末が第１の電子メールＡを受信した場合に、ユーザの携帯端末に表示される表示例（図では、返信要求は示されていないが、返信要求をメッセージで示してもよい）、（Ｂ）はユーザの携帯端末が第２の電子メールＢを受信した場合に、ユーザの携帯端末に表示される表示例を、電子メールのメッセージとともに示しており、（Ｂ）の１２３４５が認証コードとして使用される。【００５３】
管理装置６は、認証端末３と通信するためのネットワーク通信手段６ａと、ユーザによるサービス装置１の利用履歴を蓄積するデータベース６ｂとを備えている。本発明では、ワイヤレス携帯端末２は、ユーザに貸与されるものとしてもよく、その場合には、ワイヤレス端末２の特定位置に識別情報として用いられる端末コードを表示しておけばよい。ここで管理装置６に、ユーザを生体認証する生体認証手段６ｃを設けておけば、ユーザに貸与されたワイヤレス携帯端末２の端末コードを、そのユーザの生体認証データに対応させてデータベース６ｂに記憶しておくことも可能になる。生体認証手段は、識別カード８または読取手段３ｄに設けておき、生体認証データを、認証端末３を通じて取得するようにしてもよい。また、管理装置６は、データベース６ｂに蓄積したユーザの利用履歴に基づいて、サービス装置１の利用に対する課金情報を算出する出力手段を更に備えてもよい。【００５４】
次いで、個人認証システムＳの基本動作を説明する。【００５５】
図４は、サービス装置１、ワイヤレス携帯端末２、認証端末３、認証装置４の相互に関連した基本動作を時系列的に説明するフロー図である。【００５６】
この基本動作では、まず、認証端末３において、ユーザが自分に割り当てられた認証情報を操作入力する。操作入力された認証情報は、ネットワークＮを通じて認証装置４に送信される（ステップ１０１、１０２）。このときに、表示器付きのテンキーなどで簡単なＩＤ、パスワードを入力させてもよい。【００５７】
認証装置４は、認証情報を受け付けると、ユーザ登録手段４ｂを参照して、その認証情報に対応して予め登録されたワイヤレス携帯端末２の通信アドレスを特定する。そして、特定した通信アドレスを指定して発信することにより、無線通信基地局５を経由して、ワイヤレス携帯端末２を呼び出し、予め特定されたルールに従って選択または生成した認証コードを発行してワイヤレス携帯端末２に通知するとともに、通知した認証コードに有効期限の情報を付加してユーザ登録手段４ｂに記録する。有効期限の長さは限定されないが、送信した認証コードをいわゆるワンタイムコードとするため、発信時から数分程度とすることが望ましい（ステップ２０１〜２０５）。ただし、ホテルのルームキーなどに応用する場合は、チェックアウトする時間や一日単位などに設定したほうが便利な場合もある。【００５８】
ワイヤレス携帯端末２は、無線通信基地局５から通信アドレスを指定した呼出を受け認証コードを受け付けると、受け付けた認証コードを表示手段２ｂに表示する。従ってユーザはその認証コードを見て認証端末３に操作入力することができる（ステップ３０１、３０２）。認証端末３は、操作入力された認証コードを認証サーバ４にネットワークＮを通じて送信する（ステップ１０３、１０４）。【００５９】
認証サーバ４は、その認証コードを受信すると、ユーザ登録手段４ｂを参照して、受信した認証コードと、ユーザ登録手段４ｂに登録されている発信済みの認証コードとの一致を判別する。一致した認証コードがあれば、更にその有効期限を判別し、有効期限内であると確認した場合にのみ、認証コードを送信してきた認証端末３に許可信号を返信する。なお、認証コードが一致しており、有効期限が過ぎている場合には、認証コードを送信してきた認証端末３に不許可信号を返信することが望ましい（ステップ２０６〜２０８）。【００６０】
認証端末３は、送信されてきた許可信号を受信すると、認証結果を表示し、ユーザによるサービス装置１の許可する（ステップ１０５、１０６、４０１）。また、このとき、ユーザの識別情報と、利用を許可したという事象を、管理装置６に通知して利用履歴として蓄積させる。
【図１】
2009011436.tif 000003
【図２】
2009011436.tif 000004
【図３】
2009011436.tif 000005
【図４】
2009011436.tif 000006
【図５】
2009011436.tif 000007
【図６】
2009011436.tif 000008
【国際調査報告】
2009011436.tif 000009
2009011436.tif 000010
2009011436.tif 000011
2009011436.tif 000012